(57)【要約】      （修正有）【課題】釣り道具に一時的に配置することができ、他の釣り道具の周辺製品と便利に組み合わせることができる釣り竿ホルダを提供する。【解決手段】竿固定部１０と、クロス延在部２０と、ベース部３０と、連結ピン４０と、調整ねじ５０とを備え、釣り竿ホルダ１は、接続に用いられる複数の中空柱を有するデザインであり、延伸性に優れ、他の補助機器と一体に接続することができる上、釣り客にはよりカスタマイズされた組み合わせを提供することができ、釣り竿ホルダは、各構成要素を分解して持ち運ぶことができ、組み立てて使用することができる。【選択図】図１
0003224646.tif 000002
【実用新案登録請求の範囲】
【請求項１】
釣り竿のグリップ部を挿通するための中空短円筒体と、
前記中空短円筒体の第１の開口側の下方に形成された第１のピン止め構造と、
前記中空短円筒体の第２の開口側に形成されていると共に、釣り竿が前記中空短円筒体としっかり結合されるように、ねじ先端が釣り竿のグリップ部に当接するための固定ねじをねじ込むねじ溝が内部に形成された竿固定中空柱と、
前記第１の開口側と前記第２の開口側との間の上方に形成された２つの接続中空円柱と、を備える竿固定部と、
前記２つの接続中空円柱を挿通するための丸穴が上部に形成されると共に共に、前記中空短円筒体にまたがることができるように、前記中空短円筒体の最も外側の半径に実質的に近かい半径を有する円弧貫通溝が下部に形成された接続構造と、
前記接続構造から左右２つの方向に延びて形成された２つの延長部と、
ロッドスタンドの固定軸を挿通するために、それぞれが前記延長部の端部に形成された接続中空柱と、を備えるクロス延在部と、
棒状ベースと、
前記棒状ベースの上方に形成され、前記第１のピン止め構造とピン止めするための第２のピン止め構造と、
それぞれが地面に固定された固定ロッドを挿通するために、前記棒状ベースの第１の端部に形成された２つの垂直固定ロッド接続中空柱と、
前記棒状ベースの第２の端部に形成され、調整ねじがねじ込まれた後前記中空短円筒体の前記第２の開口側の下方にねじ先端が当接し、回転することによって前記中空短円筒体と前記棒状ベースとの角度を調整することができる調整ねじを挿通するためのねじ溝が内部に形成された調整ねじ挿通構造と、を備えるベース部と、を含む、ことを特徴とする釣り竿ホルダ。
【請求項２】
前記竿固定部は、前記第１の開口側の上方に形成された、位置決めピンを挿通するための結合中空柱をさらに備えることを特徴とする請求項１記載の釣り竿ホルダ。
【請求項３】
前記結合中空柱の側面に、ねじをねじ込むための雌ねじを有する開口をさらに設けることができ、前記結合中空柱と前記位置決めピンとがねじによってしっかりと結合される、ことを特徴とする請求項２に記載の釣り竿ホルダ。
【請求項４】
前記接続中空柱の側面に、ねじをねじ込むための雌ねじを有する開口をさらに設け、前記接続中空柱と前記ロッドスタンドの固定軸とがねじによってしっかりと結合される、ことを特徴とする請求項１に記載の釣り竿ホルダ。
【請求項５】
地面に固定されていない固定ロッドを挿通するために、前記棒状ベースの端部に水平固定ロッド接続中空柱が固定される、ことを特徴とする請求項１に記載の釣り竿ホルダ。
【請求項６】
前記水平固定ロッド接続中空柱の側面に、ねじをねじ込むための雌ねじを有する開口がさらに形成され、前記水平固定ロッド接続中空柱と前記固定ロッドとがねじによってしっかりと結合される、ことを特徴とする請求項５に記載の釣り竿ホルダ。
【請求項７】
固定ピンを有する釣り竿周辺装置を挿通するために、前記棒状ベースの上方に横方向固定ロッド接続中空柱がさらに結合される、ことを特徴とする請求項１に記載の釣り竿ホルダ。
【請求項８】
前記横方向固定ロッド接続中空柱の側面に、ねじをねじ込むための雌ねじをそれぞれ有する２つの開口がさらに設けられ、前記横方向固定ロッド接続中空柱と前記釣り竿周辺装置の前記固定ピンとがねじによってしっかりと結合される、ことを特徴とする請求項７に記載の釣り竿ホルダ。
【請求項９】
前記棒状ベースの上方に横置きロッドがさらに結合される、ことを特徴とする請求項１に記載の釣り竿ホルダ。
【請求項１０】
前記第１のピン止め構造と前記第２のピン止め構造とをピン止めするための連結ピンをさらに備える、ことを特徴とする請求項１に記載の釣り竿ホルダ。
【考案の詳細な説明】
【技術分野】
【０００１】
本考案は、ホルダに関し、特に、釣り道具に一時的に配置することができ、他の釣り道具の周辺製品と便利に組み合わせることができる釣り竿ホルダに関する。
【背景技術】
【０００２】
釣りは非常に普及しているレジャー活動である。釣り仲間たちが釣り道具を持ち運んで川や海の傍に留まったとき、水面下での魚との戦いを楽しむことに加えて、自然による広々とした野原の環境も、また彼らが帰ることを忘れるように夢中になってしまう。
【０００３】
釣りのための最も重要な道具は、釣り竿と釣り用ルアーであるが、前者は釣りの際に最優先である。釣り糸が魚に上下揺れるように引っ張られるのを見るのは楽しいであるが、釣り竿を長時間把持して魚が引っ掛かるのを待つと、釣り客は疲れる。したがって、釣り竿の周辺商品には、このような避けられない問題を解決するための一連の商品が開発されつつあり、最も古く最も成熟した商品は、釣り竿ホルダである。
【０００４】
釣り竿ホルダの最も単純な構造は、地面または他の一時的な重い物体に固定することにより、釣り竿のホルダを一時的に支持できることである。釣り竿の素材の軽量化に伴い、釣り竿ホルダも短くなり、より多機能になる。しかし、通常、釣り竿ホルダには２つの欠点がある。１つ目は、延伸性が足らず、釣り客にはよりカスタマイズされた組み合わせを提供するために他の補助機器と一体に接続することは困難である。２つ目は、着脱できず、携行しにくい。
【０００５】
そのため、上記の釣り竿ホルダの問題を改善し、釣り活動をより便利にするために、本考案の新規な釣り竿ホルダが提供される。
【考案の概要】
【０００６】
この段落では、本考案のある特徴を抽出及び編成する。他の特徴については、後続の段落で掲示される。その意図は、添付の特許請求の範囲における精神及び範囲内の様々な補正及び類似の配置を網羅することである。
【０００７】
本考案は、釣り竿のグリップ部を挿通するための中空短円筒体と、前記中空短円筒体の第１の開口側の下方に形成された第１のピン止め構造と、前記中空短円筒体の第２の開口側に形成されており、釣り竿が前記中空短円筒体としっかり結合されるようにねじ先端が釣り竿のグリップ部に当接するための固定ねじをねじ込むねじ溝が内部に形成された竿固定中空柱と、前記第１の開口側と前記第２の開口側との間の上方に形成された２つの接続中空円柱とを備える竿固定部と、前記２つの接続中空円柱を挿通するための丸穴が上部に形成されると共に、前記中空短円筒体にまたがることができるように、前記中空短円筒体の最も外側の半径に実質的に近かい半径を有する円弧貫通溝が下部に形成された接続構造と、前記接続構造から左右２つの方向に延びて形成された２つの延長部と、ロッドスタンドの固定軸を挿通するために、それぞれが前記延長部の端部に形成された接続中空柱とを備えるクロス延在部と、棒状ベースと、前記棒状ベースの上方に形成され、前記第１のピン止め構造とピン止めするための第２のピン止め構造と、それぞれが地面に固定された固定ロッドを挿通するために、前記棒状ベースの第１の端部に形成された２つの垂直固定ロッド接続中空柱と、前記棒状ベースの第２の端部に形成され、調整ねじがねじ込まれた後前記中空短円筒体の前記第２の開口側の下方にねじ先端が当接し、回転することによって前記中空短円筒体と前記棒状ベースとの角度を調整することができる調整ねじを挿通するためのねじ溝が内部に形成された調整ねじ挿通構造とを備えるベース部と、を含む釣り竿ホルダを提供する。
【０００８】
本考案によれば、前記竿固定部は、前記第１の開口側の上方に形成された、位置決めピンを挿通するための結合中空柱をさらに備える。
【０００９】
本考案によれば、前記結合中空柱の側面に、ねじをねじ込むための雌ねじを有する開口をさらに設けることができ、前記結合中空柱と前記位置決めピンとがねじによってしっかりと結合される。
【００１０】
本考案によれば、前記接続中空柱の側面に、ねじをねじ込むための雌ねじを有する開口をさらに設けることができ、前記接続中空柱と前記ロッドスタンドの固定軸とがねじによってしっかりと結合される。
【００１１】
本考案によれば、地面に固定されていない固定ロッドを挿通するために、前記棒状ベースの端部に水平固定ロッド接続中空柱が固定される。
【００１２】
本考案によれば、前記水平固定ロッド接続中空柱の側面に、ねじをねじ込むための雌ねじを有する開口がさらに形成され、前記水平固定ロッド接続中空柱と前記固定ロッドとがねじによってしっかりと結合される。
【００１３】
本考案によれば、固定ピンを有する釣り竿周辺装置を挿通するために、前記棒状ベースの上方に横方向固定ロッド接続中空柱がさらに結合される。
【００１４】
本考案によれば、前記横方向固定ロッド接続中空柱の側面に、ねじをねじ込むための雌ねじをそれぞれ有する２つの開口がさらに設けられ、前記横方向固定ロッド接続中空柱と前記釣り竿周辺装置の前記固定ピンとがねじによってしっかりと結合される。
【００１５】
本考案によれば、前記棒状ベースの上方に横置きロッドがさらに結合される。
【００１６】
本考案に係る釣り竿ホルダは、前記第１のピン止め構造と前記第２のピン止め構造とをピン止めするための連結ピンをさらに備える。
【００１７】
本考案に係る釣り竿ホルダは、接続のための複数の中空柱のデザインを有し、適用性に優れ、釣り客にはよりカスタマイズされた組み合わせを提供するために、他の補助機器と一体に接続することができる。さらに、釣り竿ホルダの各構成要素は、分解して持ち運び、組み立てて使用することができ、多くの市販の同等な製品にない設計である。
【図面の簡単な説明】
【００１８】
図１は、本考案に係る釣り竿ホルダの実施形態の外観を示す模式図である。
図２は、釣り竿ホルダの竿固定部の外観を示す模式図である。
図３は、釣り竿ホルダのクロス延在部の外観を示す模式図である。 
図４は、釣り竿ホルダのベース部の外観を示す模式図である。
図５は、当該ベース部の他の外観を示す模式図である。
図６は、ロッドスタンドの外観を示す模式図である。
【考案を実施するための形態】
【００１９】
本考案に係る実施形態の技術的解決策について、添付図面と併せて以下に明確かつ完全に説明する。ここで説明した実施形態は、本考案の実施形態の一部に過ぎず、それらのすべてではないことは明らかである。本考案の実施形態に基づいて、創造的な努力なしに当業者によって得られる他のすべての実施形態は、本考案の主張範囲内である。
【００２０】
図１は、本考案に係る釣り竿ホルダ１の実施形態の外観を示す模式図である。図１を参照すると、上記釣り竿ホルダ１は、竿固定部１０と、クロス延在部２０と、ベース部３０と、連結ピン４０と、調整ねじ５０とを備える。竿固定部１０の詳細構造については図２を、クロス延在部２０の詳細構造については図３を、ベース部３０の詳細構造については図４と図５を参照されたい。
【００２１】
竿固定部１０は、中空短円筒体１１と、第１のピン止め構造１２と、竿固定中空柱１３と、２つの接続中空円柱１４と、結合中空柱１５とを含む。中空短円筒体１１の内部に釣り竿のグリップを挿通することができる。釣り竿の仕様が異なるため、グリップ部のデザインも異なるが、釣り客の持ち方を考慮すると、グリップ部の断面形状は通常、円形または正多角形である。中空短円筒体１１の内部の断面は丸いので、直径が十分に大きければ、異なる釣り竿と適合させることができる。釣り竿のグリップ部の断面形状が小さすぎて抜けやすい場合、竿固定中空柱１３によって固定を支援することができる。竿固定中空柱１３は、中空短円筒体１１の第２の開口側１１２に形成され、固定ねじ１６をねじ込むためのねじ溝が内部に形成され、固定ねじの１６の先端が釣り竿のグリップ部に当接することにより、釣り竿と中空短円筒体１１とがしっかり結合することができる。第１のピン止め構造１２は、中空短円筒体１１の第１の開口側１１１の下方に形成され、ベース部３０とピン止めするために設計されている。実際には、第１のピン止め構造１２は、Ｙ字状のピン止めロッドとすることができる。クロス延在部２０を接続するために、第１の開口側１１１と第２の開口側１１２との間の上方に２つの接続中空円柱１４が形成されている。位置決めピンを挿通するために、第１の開口側１１１の上方に結合中空柱１５が形成されている。位置決めピンは、多くの釣り具周辺装置が他の釣り具周辺装置と接続するために使用するデバイスで、最も簡単なのは、ワイヤーまたは金属棒を位置決めピンとして使用することである。位置決めピンは、外力によって結合中空柱１５内を摺動する恐れがあるため、ねじ（図示せず）をねじ込むために、雌ねじを有する開口１５１を結合中空柱１５の側面にさらに形成し、結合中空柱１５と位置決めピンとは、ねじによってしっかりと結合されている。
【００２２】
クロス延在部２０は、接続構造２１と、２つの延長部２２と、２つの接続中空柱２３とを含む。竿固定部１０の２つの連結する中空円柱１４を挿通するために、接続構造２１の上方に２つの丸穴２１１が形成されている。接続構造２１の下方に円弧貫通溝２１２が形成され、円弧貫通溝２１２の半径は、中空短円筒体１１の最も外側の半径に実質的に近いので、クロス延在部２０は、円弧貫通溝２１２によって中空短円筒体１１にまたがっている（図１を参照）。２つの延長部２２は、接続構造２１から左右に延びて形成される。本実施形態では、各延長部２２の断面は、接続構造２１近傍の最大断面積から端部の最小断面積までに徐々に細くなっている。２つの接続中空柱２３のそれぞれは、ロッドスタンドの固定軸を挿通するために、延長部２２の端部の上方に形成される。ロッドスタンドの外観及び機能については、図６を参照しながら説明する。ロッドスタンド２の主な構造は、１つ以上のＹ字型ヘッド３、Ｙ字型ヘッド３を接続するロッド４、及び端部の固定軸５で構成されている。固定軸５（この実施形態では、固定軸５は、ロッド４に対して角度を保つことが好ましい）が接続中空柱２３に挿通されると、釣り客の他の釣りに同時使用される釣り竿のロッドを一時的にＹ字型ヘッド３の上に置き、グリップを地面に置くことができる。このように、釣り竿ホルダ１が同時に一時的に置くことができる釣り竿の数は３つ以上にすることができ、いくつかの釣り竿を同時に操作することに慣れている釣り仲間にとって非常に便利である。なお、ロッドスタンド２は従来品であり、本考案の創作内容ではないことに留意されたい。同様に、ねじ（図示せず）をねじ込むための雌ねじを有する開口２３１が接続中空柱２３の側面にさらに開設され、接続中空柱とロッドスタンドとの固定軸とがねじによってしっかりと結合される。
【００２３】
ベース部３０は、棒状ベース３１と、第２のピン止め構造３２と、２つの垂直固定ロッド接続中空柱３３と、調整ねじ挿通構造３４と、横方向固定ロッド接続中空柱３５と、横置きロッド３６と、水平固定ロッド接続中空柱３７とを含む。棒状ベース３１は、ベース部３０の本体であり、この実施形態では、中空の丸棒であり、実際には、中実の丸棒であってもよい。第２のピン止め構造３２は、第１のピン止め構造１２とピン留めするために、棒状ベース３１の上方に形成されている。図４から分かるように、第２のピン止め構造３２の構造は、プレートに丸穴３２１を開設することにより形成される。連結ピン４０は、円形孔３２１及び第１のピン止め構造１２の丸穴１２１を通過し、第１のピン止め構造１２及び第２のピン止め構造３２がピン止めされる。２つの垂直固定ロッド接続中空柱３３は、棒状ベース３１の第１の端部３１１に形成され、各垂直固定ロッド接続中空柱３３は、地面に固定された固定ロッド（図示せず）を挿通するために用いられ、釣り竿ホルダ１に加えられたすべての外力は、最終的に２本の固定ロッドを介して地面に伝達される。調整ねじ挿通構造３４が棒状ベース３１の第２の端部３１２に形成され、内部には調整ねじ５０をねじ込むためのねじ溝が形成されている。調整ねじ５０の先端は、調整ねじ挿通構造３４に固定された後中空短円筒体１０の第２の開口側１１２の下方に当接され、回転することによって中空短円筒体１０と棒状ベース３１との角度を調整する。横方向固定ロッド接続中空柱３５は、固定ピンを有する釣り具周辺装置を挿通するために使用することができる。横方向固定ロッド接続中空柱３５の両側には、雌ねじを有する２つの開口３５１がさらに開設され、各開口３５１は、ねじ（図示せず）をねじ込むために利用され、それにより横方向固定ロッド接続中空柱３５と釣り具周辺装置の固定ピンとがねじによってしっかりと結合することができる。横置きロッド３６は、横方向固定ロッド接続中空柱３５と並列に形成され、物をかけることができる。水平固定ロッド接続中空柱３７は、地面に固定されていない固定ロッドを挿通することができる。例えば、固定ロッドが携帯型アイスバケットに間接的に固定され、釣り客はアイスバケットに座ることで釣り竿ホルダ１が落ちないように体重で支える。同様に、水平固定ロッド接続中空柱３７の側面には、ねじをねじ込むための雌ねじを有する開口３7１をさらに形成し、水平固定ロッド接続中空柱３７と固定ロッドとがねじによってしっかりと結合される。
【００２４】
材料に関して、以上に挙げた様々な構成要素は、耐久性に必要な錬鉄、ステンレス鋼、プラスチック鋼、またはセルロース繊維材料で作製することができる。
【００２５】
本考案の実施形態が以上のように示され説明されたが、本考案の原理及び精神を逸脱しない範囲内で種々変化や補正、切換、変形して実施することが可能であることは当業者には理解されるであろう。本考案の範囲は、添付の特許請求の範囲及びそれらの均等物によって定義される。
【符号の説明】
【００２６】
１          釣り竿ホルダ
２          ロッドスタンド
３          Ｙ字型ヘッド
４          ロッド
５          固定軸
１０        竿固定部
１１        中空短円筒体
１１１      第１の開口側
１１２      第２の開口側
１２        第１のピン止め構造
１２１      丸穴
１３        竿固定中空柱
１４        接続中空円柱
１５        結合中空柱
１５１      開口
１６        固定ねじ
２０        クロス延在部
２１        接続構造
２１１      丸穴
２１２      円弧貫通溝
２２        延長部
２３        接続中空柱
２３１      開口
３０        ベース部
３１        棒状ベース
３１１      第１の端部
３１２      第２の端部
３２        第２のピン止め構造
３２１      丸穴
３３        垂直固定ロッド接続中空柱
３４        調整ねじ挿通構造
３５        横方向固定ロッド接続中空柱
３５１      開口
３６        横置きロッド
３7        水平固定ロッド接続中空柱
３7１      開口
４０        連結ピン
５０        調整ねじ
【図１】
0003224646.tif 000003
【図２】
0003224646.tif 000004
【図３】
0003224646.tif 000005
【図４】
0003224646.tif 000006
【図５】
0003224646.tif 000007
【図６】
0003224646.tif 000008